(57)【要約】  エンハンスト専用チャネル（Ｅ−ＤＣＨ）の効率的な操作のための方法および装置が開示される。物理層処理は、様々な制御パラメータの計算と、それに続く、送信すべきデータの実際の処理とを含む。本発明によれば、制御パラメータの計算は、関連するデータ操作とは非同期で実施される。媒体アクセス制御（ＭＡＣ）層は、データが並行して処理されている間に、制御パラメータの計算に必要な情報をできるだけ早く物理層に提供する。提供されるデータは、ハイブリッド自動再送要求（Ｈ−ＡＲＱ）プロファイル、トランスポートブロックサイズ、電力オフセットなどを含む。ＭＡＣ−ｅ処理が完了する前にこのデータを物理層に送ることによって、レイテンシ制約を大きく緩和することができる。
2008547322.tif 000002
【特許請求の範囲】
【請求項１】
無線リンク制御（ＲＬＣ）層と媒体アクセス制御（ＭＡＣ）層と物理層とプロトコルデータユニット（ＰＤＵ）プロセッサとを備えるワイヤレス送受信ユニット（ＷＴＲＵ）における、エンハンスト専用チャネル（Ｅ−ＤＣＨ）の効率的な操作の方法であって、
前記物理層が割込みメッセージを前記ＭＡＣ層に送る工程と、
前記ＭＡＣ層が前記割込みメッセージに基づいてＭＡＣ層処理を実施する工程と、
前記物理層がＥ−ＤＣＨ送信に必要な制御パラメータを計算できるようにするために、前記ＭＡＣ層が第１のメッセージを前記物理層に送る工程と、
前記ＭＡＣ層が、前記Ｅ−ＤＣＨ送信に向けてＭＡＣ−ｅ  ＰＤＵを生成するために第２のメッセージを前記ＰＤＵプロセッサに送る工程と、
前記ＰＤＵプロセッサが前記第２のメッセージに基づいてＭＡＣ−ｅ  ＰＤＵを生成し、前記Ｅ−ＤＣＨを介した送信に向けて前記ＭＡＣ−ｅ  ＰＤＵを前記物理層に送る工程と
を具えたことを特徴とする方法。
【請求項２】
前記制御パラメータを計算するために前記物理層に送られる前記第１のメッセージは、前記Ｅ−ＤＣＨについての、ハイブリッド自動再送要求（Ｈ−ＡＲＱ）プロファイル、トランスポートブロック（ＴＢ）サイズ、および送信電力オフセットのうちの少なくとも１つを含むことを特徴とする請求項１記載の方法。
【請求項３】
前記物理層は、ハイブリッド自動再送要求（Ｈ−ＡＲＱ）プロセスが送信に利用可能である送信時間間隔（ＴＴＩ）ごとに、前記割込みメッセージを前記ＭＡＣ層に送ることを特徴とする請求項１記載の方法。
【請求項４】
前記物理層は、新しいスケジューリンググラント情報が受信される送信時間間隔（ＴＴＩ）ごとに、前記割込みメッセージを前記ＭＡＣ層に送ることを特徴とする請求項１記載の方法。
【請求項５】
前記物理層は、Ｅ−ＤＣＨ送信時間間隔（ＴＴＩ）ごとに、前記割込みメッセージを前記ＭＡＣ層に送ることを特徴とする請求項１記載の方法。
【請求項６】
前記ＰＤＵプロセッサは、前記ＭＡＣ−ｅ  ＰＤＵが生成されたときに終了確認メッセージを前記物理層に送ることを特徴とする請求項１記載の方法。
【請求項７】
前記割込みメッセージが送られる時から前記ＭＡＣ−ｅ  ＰＤＵが生成される時までの総処理遅延は２ミリ秒に制限されることを特徴とする請求項１記載の方法。
【請求項８】
前記総処理遅延が２ミリ秒以内でない場合は並行操作が可能にされることを特徴とする請求項７記載の方法。
【請求項９】
無線リンク制御（ＲＬＣ）層と媒体アクセス制御（ＭＡＣ）層と物理層とを備えるワイヤレス送受信ユニット（ＷＴＲＵ）における、エンハンスト専用チャネル（Ｅ−ＤＣＨ）の効率的な操作の方法であって、
前記物理層が割込みメッセージを前記ＭＡＣ層に送る工程と、
前記ＭＡＣ層が前記割込みメッセージに基づいてＭＡＣ層処理を実施する工程と、
前記物理層がＥ−ＤＣＨ送信に必要な制御パラメータを計算できるようにするために、前記ＭＡＣ層が第１のメッセージを前記物理層に送る工程と、
前記ＭＡＣ層が第２のメッセージを前記ＲＬＣ層に送る工程と、
前記ＲＬＣ層が前記第２のメッセージに基づいてＲＬＣ  ＰＤＵを生成し、前記ＲＬＣ  ＰＤＵを前記ＭＡＣ層に送る工程と、
前記ＭＡＣ層がＭＡＣ−ｅ  ＰＤＵを生成し、前記Ｅ−ＤＣＨを介した送信に向けて前記ＭＡＣ−ｅ  ＰＤＵを前記物理層に送る工程と
を具えたことを特徴とする方法。
【請求項１０】
前記制御パラメータを計算するために前記物理層に送られる前記第１のメッセージは、前記Ｅ−ＤＣＨについての、ハイブリッド自動再送要求（Ｈ−ＡＲＱ）プロファイル、トランスポートブロック（ＴＢ）サイズ、および送信電力オフセットを含むことを特徴とする請求項９記載の方法。
【請求項１１】
前記物理層は、ハイブリッド自動再送要求（Ｈ−ＡＲＱ）プロセスが送信に利用可能である送信時間間隔（ＴＴＩ）ごとに、前記割込みメッセージを前記ＭＡＣ層に送ることを特徴とする請求項９記載の方法。
【請求項１２】
前記物理層は、新しいスケジューリンググラント情報が受信される送信時間間隔（ＴＴＩ）ごとに、前記割込みメッセージを前記ＭＡＣ層に送ることを特徴とする請求項９記載の方法。
【請求項１３】
前記物理層は、Ｅ−ＤＣＨ送信時間間隔（ＴＴＩ）ごとに、前記割込みメッセージを前記ＭＡＣ層に送ることを特徴とする請求項９記載の方法。
【請求項１４】
前記割込みメッセージが送られる時から前記ＭＡＣ−ｅ  ＰＤＵが生成される時までの総処理遅延は２ミリ秒に制限されることを特徴とする請求項９記載の方法。
【請求項１５】
前記総処理遅延が２ミリ秒以内でない場合は並行操作が可能にされることを特徴とする請求項１４記載の方法。
【請求項１６】
エンハンスト専用チャネル（Ｅ−ＤＣＨ）の効率的な操作のためのワイヤレス送受信ユニット（ＷＴＲＵ）であって、
データを順次送達するための無線リンク制御（ＲＬＣ）層と、
割込みメッセージを媒体アクセス制御（ＭＡＣ）層に送るように構成された物理層と、
前記割込みメッセージに基づいてＭＡＣ層処理を実施し、ＭＡＣ−ｅ  ＰＤＵが生成される前に前記物理層がＥ−ＤＣＨ送信に必要な制御パラメータを計算できるようにするために第１のメッセージを前記物理層に送り、ＭＡＣ−ｅ  ＰＤＵを生成するために第２のメッセージをプロトコルデータユニット（ＰＤＵ）プロセッサに送るように構成された前記ＭＡＣ層と、
前記ＭＡＣ層から受け取った前記第２のメッセージに基づいて前記ＭＡＣ−ｅ  ＰＤＵを生成し、前記Ｅ−ＤＣＨを介した送信に向けて前記ＭＡＣ−ｅ  ＰＤＵを前記物理層に送るように構成された前記ＰＤＵプロセッサと
を具えたことを特徴とするＷＴＲＵ。
【請求項１７】
前記制御パラメータを計算するために前記物理層に送られる前記第１のメッセージは、前記Ｅ−ＤＣＨについての、ハイブリッド自動再送要求（Ｈ−ＡＲＱ）プロファイル、トランスポートブロック（ＴＢ）サイズ、および送信電力オフセットのうちの少なくとも１つを含むことを特徴とする請求項１６記載のＷＴＲＵ。
【請求項１８】
前記物理層は、ハイブリッド自動再送要求（Ｈ−ＡＲＱ）プロセスが送信に利用可能である送信時間間隔（ＴＴＩ）ごとに、前記割込みメッセージを前記ＭＡＣ層に送るように構成されたことを特徴とする請求項１６記載のＷＴＲＵ。
【請求項１９】
前記物理層は、新しいスケジューリンググラント情報が受信される送信時間間隔（ＴＴＩ）ごとに、前記割込みメッセージを前記ＭＡＣ層に送るように構成されたことを特徴とする請求項１６記載のＷＴＲＵ。
【請求項２０】
前記物理層は、Ｅ−ＤＣＨ送信時間間隔（ＴＴＩ）ごとに、前記割込みメッセージを前記ＭＡＣ層に送るように構成されたことを特徴とする請求項１６記載のＷＴＲＵ。
【請求項２１】
前記ＰＤＵプロセッサは、前記ＭＡＣ−ｅ  ＰＤＵが生成されたときに終了確認メッセージを前記物理層に送るように構成されたことを特徴とする請求項１６記載のＷＴＲＵ。
【請求項２２】
エンハンスト専用チャネル（Ｅ−ＤＣＨ）の効率的な操作のためのワイヤレス送受信ユニット（ＷＴＲＵ）であって、
割込みメッセージを媒体アクセス制御（ＭＡＣ）層に送るように構成された物理層と、
前記割込みメッセージに基づいてＭＡＣ層処理を実施し、ＭＡＣ−ｅプロトコルデータユニット（ＰＤＵ）が生成される前に前記物理層がＥ−ＤＣＨ送信に必要な制御パラメータを計算できるようにするために第１のメッセージを前記物理層に送り、ＲＬＣ  ＰＤＵを生成するために第２のメッセージを無線リンク制御（ＲＬＣ）層に送り、前記ＲＬＣ層によって生成された前記ＲＬＣ  ＰＤＵに基づいてＭＡＣ−ｅ  ＰＤＵを生成し、前記Ｅ−ＤＣＨを介した送信に向けて前記ＭＡＣ−ｅ  ＰＤＵを前記物理層に送るように構成された前記ＭＡＣ層と、
前記ＭＡＣ層から受け取った前記第２のメッセージに基づいて前記ＲＬＣ  ＰＤＵを生成し、前記ＲＬＣ  ＰＤＵを前記ＭＡＣ層に送るように構成された前記ＲＬＣ層と
を具えたことを特徴とするＷＴＲＵ。
【請求項２３】
前記制御パラメータを計算するために前記物理層に送られる前記第１のメッセージは、前記Ｅ−ＤＣＨについての、ハイブリッド自動再送要求（Ｈ−ＡＲＱ）プロファイル、トランスポートブロック（ＴＢ）サイズ、および送信電力オフセットのうちの少なくとも１つを含むことを特徴とする請求項２２に記載のＷＴＲＵ。
【請求項２４】
前記物理層は、ハイブリッド自動再送要求（Ｈ−ＡＲＱ）プロセスが送信に利用可能である送信時間間隔（ＴＴＩ）ごとに、前記割込みメッセージを前記ＭＡＣ層に送るように構成されたことを特徴とする請求項２２記載のＷＴＲＵ。
【請求項２５】
前記物理層は、新しいスケジューリンググラント情報が受信される送信時間間隔（ＴＴＩ）ごとに、前記割込みメッセージを前記ＭＡＣ層に送るように構成されたことを特徴とする請求項２２記載のＷＴＲＵ。
【請求項２６】
前記物理層は、Ｅ−ＤＣＨ送信時間間隔（ＴＴＩ）ごとに、前記割込みメッセージを前記ＭＡＣ層に送るように構成されたことを特徴とする請求項２２記載のＷＴＲＵ。
【発明の詳細な説明】
【技術分野】
【０００１】
本発明は、ワイヤレス通信システムに関する。より詳細には、本発明は、エンハンスト専用チャネル（Ｅ−ＤＣＨ、ｅｎｈａｎｃｅｄ  ｄｅｄｉｃａｔｅｄ  ｃｈａｎｎｅｌ）の効率的な操作のための方法および装置に関する。
【背景技術】
【０００２】
アップリンク（ＵＬ）カバレッジ、スループット、および送信レイテンシを改善する方法が、第３世代パートナーシッププロジェクト（３ＧＰＰ）のリリース６（Ｒ６）で研究されている。これらの方法をうまく実施するために、ＵＬ物理リソースのスケジューリングおよび割当てが、無線ネットワークコントローラ（ＲＮＣ）からノードＢに移されたが、それにより、たとえＲＮＣがノードＢに対する全体的な制御を保持していても、ノードＢは、ＲＮＣよりも効率的に、短期間に決定を行いＵＬ無線リソースを管理することができる。
【０００３】
図１は、本発明により構成された従来のワイヤレス通信システム１００のブロック図である。システム１００は、無線送受信ユニット（ＷＴＲＵ）１０２、ノードＢ１０４、およびＲＮＣ１０６を含む。ＲＮＣ１０６は、初期送信電力レベル、最大許容ＥＵ送信電力、またはノードＢごとの利用可能チャネルリソースなど、ノードＢ１０４およびＷＴＲＵ１０２についてのＥＵパラメータを構成することによって、エンハンストアップリンク（ＥＵ）操作全体を制御する。ＷＴＲＵ１０２とノードＢ１０４との間では、ＥＵ操作をサポートするために、Ｅ−ＤＣＨ１０８、ＵＬ  ＥＵシグナリングチャネル１１０、およびＤＬ  ＥＵシグナリングチャネル１１２が確立される。
【０００４】
Ｅ−ＤＣＨ送信のために、ＷＴＲＵ１０２は、ＵＬ  ＥＵシグナリングチャネル１１０を介してノードＢ１０４にレート要求を送信する。これに応答して、ノードＢ１０４は、ＤＬ  ＥＵシグナリングチャネル１１２を介してＷＴＲＵ１０２にレートグラントを送信する。ＥＵ無線リソースがＷＴＲＵ１０２に割り振られた後、ＷＴＲＵ１０２は、Ｅ−ＤＣＨ１０８を介してＥ−ＤＣＨデータを送信する。Ｅ−ＤＣＨ送信に応答して、ノードＢ１０４は、ＤＬ  ＥＵシグナリングチャネル１１２を介して、ハイブリッド自動再送要求（Ｈ−ＡＲＱ）操作のための肯定応答（ＡＣＫ）または否定応答（ＮＡＣＫ）メッセージを送信する。ノードＢ１０４はまた、Ｅ−ＤＣＨデータ送信に応答して、レートグラントでＷＴＲＵ１０２に応答することもできる。
【０００５】
図２は、ＷＴＲＵ１０２の従来のプロトコルアーキテクチャのブロック図である。ＷＴＲＵ１０２のプロトコルアーキテクチャは、より高い層２０２、無線リンク制御（ＲＬＣ）層２０４、媒体アクセス制御（ＭＡＣ）層２０６、および物理層（ＰＨＹ）２０８を含む。ＭＡＣ層２０６は、専用チャネルＭＡＣ（ＭＡＣ−ｄ）２１０およびＥ−ＤＣＨ  ＭＡＣ（ＭＡＣ−ｅ／ｅｓ）２１２を含む。ＭＡＣ−ｅ／ｅｓ２１２は、Ｈ−ＡＲＱ送信および再送、データの優先順位、ＭＡＣ−ｄ／ＭＡＣ−ｅｓ多重化、およびトランスポートフォーマットコンビネーション（ＴＦＣ）選択を含めた（ただしこれらに限定されない）、Ｅ−ＤＣＨの送受信に関係するすべての機能を扱う。
【０００６】
ＷＴＲＵと、ユニバーサル移動遠隔通信システム（ＵＭＴＳ、ｕｎｉｖｅｒｓａｌ  ｍｏｂｉｌｅ  ｔｅｌｅｃｏｍｍｕｎｉｃａｔｉｏｎ  ｓｙｓｔｅｍ）地上無線アクセスネットワーク（ｔｅｒｒｅｓｔｒｉａｌ  ｒａｄｉｏ  ａｃｃｅｓｓ  ｎｅｔｗｏｒｋ）（ＵＴＲＡＮ）との間のＥ−ＤＣＨ上で、１つまたは複数の独立ＵＬ送信が、共通の時間間隔内で処理される。この一例は、ＭＡＣ層Ｈ−ＡＲＱ、または単純なＭＡＣ層自動再送要求（ＡＲＱ）操作であろうが、この場合、個々の送信は、異なる数の再送がＵＴＲＡＮによってうまく受信されることを必要とすることがある。この操作の結果、ＭＡＣ層で送信シーケンスが失われることがある。
【発明の開示】
【発明が解決しようとする課題】
【０００７】
３ＧＰＰ標準によれば、Ｅ−ＤＣＨの送信時間間隔（ＴＴＩ）は、１０ミリ秒と２ミリ秒のいずれかに設定される。より高いデータレートおよびスループットを達成するには、必要とされるタイミングに対応するよう、ＷＴＲＵにおけるＥ−ＤＣＨの操作を注意深く設計すべきである。
【課題を解決するための手段】
【０００８】
本発明は、Ｅ−ＤＣＨの効率的な操作のための方法および装置に関する。物理層処理は、様々な制御パラメータ（例えば特定のパンクチャリングパターン）の計算と、それに続く、送信すべきデータの実際の処理とを含む。従来のシステムでは、物理層での操作は、ＭＡＣ処理が完了した後にしか開始されない。本発明によれば、制御パラメータの計算は、関連するデータ操作とは非同期で実施される。ＭＡＣ層は、データが並行して処理されている間に、制御パラメータの計算に必要な情報をできるだけ早く物理層に提供する。提供されるデータは、Ｈ−ＡＲＱプロファイル、トランスポートブロックサイズ、電力オフセットなどを含む。ＭＡＣ−ｅ処理が完了する前にこのデータを物理層に送ることによって、レイテンシ制約を大きく緩和することができる。
【発明を実施するための最良の形態】
【０００９】
以下、用語「ＷＴＲＵ」は、ユーザ機器、移動局、固定または移動加入者ユニット、ページャ、あるいは、ワイヤレス環境で動作することのできる他の任意のタイプのデバイスを含むが、これらに限定されない。以下で言及するとき、用語「ノードＢ」は、基地局、サイトコントローラ、アクセスポイント、または、ワイヤレス環境における他の任意のタイプのインタフェーシングデバイスを含むが、これらに限定されない。
【００１０】
本発明は、ＷＴＲＵにおけるＥ−ＤＣＨ操作の、ソフトウェアエンティティとハードウェアエンティティとの間の機能区分化および対話を提供する。本発明は、ＵＭＴＳ周波数分割複信（ＦＤＤ）、時分割複信（ＴＤＤ）、および時分割同期符号分割多重アクセス（ＴＤ−ＳＣＤＭＡ）システムを含めた（ただしこれらに限定されない）、任意のタイプのワイヤレス通信システムに適用可能である。
【００１１】
本発明の特徴は、集積回路（ＩＣ）に組み込むこともでき、あるいは、複数の相互接続コンポーネントを備える回路中で構成することもできる。
【００１２】
本発明によれば、ＷＴＲＵ１０２は、データを処理するための任意選択のプロトコルデータユニット（ＰＤＵ）プロセッサ３１０（すなわちプロトコルエンジン）を備えることができる。図３は、本発明による、ＰＤＵプロセッサ３１０を備えるＷＴＲＵ１０２のブロック図である。ＷＴＲＵ１０２は、スタックプロセッサ３０２、Ｌ１プロセッサ３０４、スタックメモリ３０６、Ｌ１メモリ３０８、およびＰＤＵプロセッサ３１０を備える。Ｌ１プロセッサ３０４は主に、物理層ソフトウェア（主として制御処理、および場合によっては何らかの信号処理）を実行する。Ｌ１プロセッサ３０４はまた、高速ダウンリンクパケットアクセス（ＨＳＤＰＡ）または高速アップリンクパケットアクセス（ＨＳＵＰＡ）のためのＨ−ＡＲＱに関係する制御など、ある種のＭＡＣタスク、およびいくつかのＲＬＣタスクを実行することもできる。スタックプロセッサ３０２は主に、残りのプロトコルスタック操作を実行する。スタックプロセッサ３０２はまた、アプリケーションプロセッサとして使用することもできる。スタックプロセッサ３０２およびＬ１プロセッサ３０４はそれぞれ、それ自体のメモリを有する（それぞれスタックメモリ３０６およびＬ１メモリ３０８）。従来の一実装形態では、データがスタックを通して移動されるとき、データを再パッケージするために非常に多くのサイクルが浪費される（例えばＰＤＵの連結および分離、ヘッダの追加、暗号化など）。
【００１３】
ＰＤＵプロセッサ３１０は、スタックプロセッサ３０２およびＬ１プロセッサ３０４と並行して稼動する。ＰＤＵプロセッサ３１０は、Ｌ１メモリ３０８とスタックメモリ３０６との間でデータを移動するのに主に使用されるプログラム可能エンティティである。ＰＤＵプロセッサ３１０はまた、データを移動するとき、データパケットのフラグメンテーション／デフラグメンテーション、合成／分解、および暗号化／暗号化解除も実施する。任意選択で、ＰＤＵプロセッサ３１０はまた、ＲＬＣおよびＭＡＣ  ＰＤＵヘッダの構築および解釈が可能であってもよい。
【００１４】
ＰＤＵプロセッサ３１０は、入来および送出ビットストリームを操作するための特定の命令を有する。これらの命令は、ヘッダを構成するビットフィールドを解釈するオーバヘッド、またはヘッダの生成中にビットフィールドのシーケンスを構築するオーバヘッドを低減する。ＰＤＵプロセッサ３１０は、１組のＰＤＵ記述子から直接にＭＡＣ−ｅ／ｅｓ  ＰＤＵを構築する。ＰＤＵ記述子は、ＲＬＣ  ＰＤＵおよびＭＡＣ−ｅ／ｅｓ  ＰＤＵ（すなわちデータの内容およびＰＤＵヘッダ）を、ソフトウェアフレンドリなフォーマットで記述する１組の共有データ構造である（例えば、ビット桁送りなしで高速処理するための、バイト／ワードでアクセス可能なデータ）。ＰＤＵプロセッサ３１０は、ＭＡＣ−ｅ／ｅｓ  ＰＤＵが送信に向けて物理層共有メモリ（すなわちＬ１メモリ３０８）に書き込まれるとき、ＰＤＵ記述子に基づいてＭＡＣ−ｅ／ｅｓ  ＰＤＵを構築する。この方式の利点は、Ｌ２／３処理の大きな削減、およびプロトコルスタック操作の並行処理である。フレーム同期ＰＤＵ構築処理のためフレーム非同期操作はブロックされず、Ｌ２／３処理はＰＤＵプロセッサにアンロードされる。
【００１５】
図３は例として提供したものであり、任意の変形が可能であることに留意されたい。例えば、Ｌ１プロセッサ３０４とスタックプロセッサ３０２とを組み込んだ単一のプロセッサを使用することもでき、スタックメモリ３０６およびＬ１メモリ３０８は、同じメモリであってもよく、あるいは、同じ集積回路上にあるかまたはない異なるメモリであってもよい。
【００１６】
物理層処理は、通常、ハードウェア、または混合ハードウェア／ソフトウェアコンポーネントによって実施される。ＨＳＵＰＡのための物理層処理は、ターボ符号化、レートマッチング、インタリービング、および、データ再送を実施するためのＨ−ＡＲＱ処理を含むが、これらに限定されない。物理層処理は、様々な制御パラメータ（例えば特定のパンクチャリングパターン）の計算と、それに続く、データの実際の処理とを含む。従来技術では、物理層におけるこれらの操作は、ＭＡＣ−ｅ処理が完了した後にしか開始できなかった。
【００１７】
本発明によれば、制御パラメータの計算は、関連するデータ操作とは非同期で実施される。例えば、データがまだＲＬＣ層２０４にある間にさえ、前もって実施することができる。これにより、データを利用可能にすることに対するレイテンシ制約を大きく緩和することができ、処理における追加のレイテンシスロットが許される。ＭＡＣ層２０６は、データが並行して処理されている間に、制御パラメータの計算に必要な情報をできるだけ早く物理層に提供する。このようにする能力は、ＰＤＵプロセッサ３１０が利用されることに依存しないことに留意されたい。
【００１８】
図４は、本発明の第１の実施形態による、Ｅ−ＤＣＨの効率的な操作のためにＷＴＲＵ１０２中で実施されるプロセス４００のシグナリング図である。第１の実施形態によれば、Ｅ−ＤＣＨ操作は、ＰＤＵプロセッサ２１４を使用して実施される。物理層２０８から送られた割込みメッセージ（またはプリミティブ）によって、ＭＡＣ層処理がトリガされる（ステップ４０２）。ＭＡＣ層処理は、Ｈ−ＡＲＱプロセスが送信に利用可能である送信時間間隔（ＴＴＩ）ごとに、または新しいスケジューリンググラント情報が受信されるＴＴＩごとに、またはＥ−ＤＣＨ  ＴＴＩごとにトリガされてよい。
【００１９】
次に来るＴＴＩにＨ−ＡＲＱプロセスが利用可能であるとき、物理層２０８は割込みメッセージを生成する。特定のＨ−ＡＲＱプロセスが利用可能であると決定されるのは、物理層２０８がＨ−ＡＲＱプロセスを介して前のＨ−ＡＲＱ送信に対するＡＣＫを受信したとき、または、Ｈ−ＡＲＱプロセスの最大再送数に達し、それによりＨ−ＡＲＱプロセスが開放されたとき、または、Ｈ−ＡＲＱプロセスが前のＴＴＩで使用されなかったときである。物理層２０８はまた、ＷＴＲＵ１０２がノードＢ１０４から更新済みスケジュールグラント情報を受信したときに、割込みメッセージを生成することもできる。割込みメッセージは、ＴＴＩベースのクロック割込みとすることもできる。
【００２０】
割込みメッセージは、いくつかの情報要素を含む。これらの情報要素には、１）１次エンハンストアップリンク無線ネットワーク一時識別（Ｅ−ＲＮＴＩ、ｅｎｈａｎｃｅｄ  ｕｐｌｉｎｋ  ｒａｄｉｏ  ｎｅｔｗｏｒｋ  ｔｅｍｐｏｒａｒｙ  ｉｄｅｎｔｉｔｙ）と共に受信されたか２次Ｅ−ＲＮＴＩと共に受信されたかの指示付き絶対グラント、２）サービス対象または非サービス対象セルからの相対グラント、３）前の送信のＨ−ＡＲＱインジケータ（ＨＩ）、４）現在の専用物理制御チャネル（ＤＰＣＣＨ）電力、または、５）クロック割込みが含まれるが、これらに限定されない。
【００２１】
ＭＡＣ層２０６は、物理層２０８によって呼び出されると、いくつかのタスクを実施する。ＭＡＣ層２０６は、絶対グラントおよび相対グラントを含む更新済みスケジューリンググラント情報が提供された場合はそれに基づいて、グラント処理を実施して、現在スケジューリンググラント、およびＥ−ＤＣＨ送信のための対応する残り送信電力を導出する（ステップ４０４）。ＭＡＣ層２０６はまた、バッファ占有率を得る（ステップ４０６）。ＰＤＵプロセッサ２１４とＭＡＣ層２０６とがそれらの間でメモリを共有している場合、バッファ占有率は、ステップ４０６および４０８で示すように、ＰＤＵプロセッサ２１４への関数呼出しを使用して得ることができる。このような時点で、任意のＲＬＣ非同期タスク（タイマ処理、制御ＰＤＵ処理など）はブロックされて、バッファ占有率の整合性が維持される。ＭＡＣ層２０６は、トランスポートフォーマットコンビネーション（ＴＦＣ）回復および除去プロセスを実施して、Ｅ−ＤＣＨのための残り送信電力で許容されるＥ−ＤＣＨ  ＴＦＣを決定する（ステップ４１０）。ＭＡＣ層２０６はまた、ノードＢ１０４にリソースを要求するためにレート要求を生成することもできる（ステップ４１２）。ＭＡＣ層２０６はまた、複数のＭＡＣ−ｄ  ＰＤＵをＭＡＣ−ｅｓ  ＰＤＵに多重化するため、および１つまたは複数のＭＡＣ−ｅｓ  ＰＤＵを単一のＭＡＣ−ｅ  ＰＤＵに多重化するために、多重化プロシージャを実施することもできる（ステップ４１４）。ステップ４０４〜４１４のＭＡＣ層タスクに関する以上の記述は、異なる順序で、または同時に実施することもでき、またすべてのタスクが必要とは限らない。
【００２２】
次いでＭＡＣ層２０６は、物理層２０８にメッセージを送り、ＭＡＣ層２０６、ＰＤＵプロセッサ２１４、またはＲＬＣ層２０４など他のエンティティによってデータが処理されている間に物理層２０８が制御パラメータを計算できるようにする（ステップ４１６）。このメッセージは、Ｈ−ＡＲＱプロファイル、トランスポートブロック（ＴＢ）サイズ、電力オフセットなどを含む。Ｈ−ＡＲＱプロファイルは、電力オフセット属性、およびＨ−ＡＲＱプロセスの最大再送数を示す。ＭＡＣ−ｅ処理が完了する前にこのメッセージを物理層２０８に送ることによって、レイテンシ制約を大きく緩和することができる。ステップ４１６までの処理遅延は、ＭＡＣ層処理遅延であり、ある遅延限度（例えば１．７ミリ秒）未満であるべきである。
【００２３】
次いでＭＡＣ層２０６は、メッセージ（またはプリミティブ）（すなわちＵＭＡＣステータスインジケータおよびＭＡＣ−ｅ／ｅｓ記述子）を送り、ＭＡＣ−ｅ  ＰＤＵを構築するようＰＤＵプロセッサ２１４に要求する（ステップ４１８）。このメッセージ（またはプリミティブ）は、論理チャネルごとの必要とされるＲＬＣ  ＰＤＵの数およびサイズと、ＭＡＣ−ｅ／ｅｓ  ＰＤＵの多重化を定義するＭＡＣ−ｅ／ｅｓ記述子とを含む。
【００２４】
ＰＤＵプロセッサ２１４は、ＭＡＣ層２０６からメッセージ（またはプリミティブ）を受け取ると、バッファ占有率を相応に更新する（ステップ４２０）。このようなとき、ＲＬＣ非同期タスク（タイマ処理、制御ＰＤＵ処理など）のブロッキングは除去される。次いでＰＤＵプロセッサ２１４は、データを物理層２０８に移動するか、あるいは、データをスタックメモリ３０６からＬ１メモリ３０８に移動する間にＭＡＣ−ｅ  ＰＤＵを構築する（ステップ４２２）。ＰＤＵプロセッサ２１４は、ＭＡＣ層２０６から要求されたＰＤＵの数およびサイズに従って、ＲＬＣヘッダを含めたＲＬＣ  ＰＤＵを構築する。ＰＤＵプロセッサ２１４はまた、ＭＡＣ−ｅ／ｅｓ記述子に基づいて、ＭＡＣ−ｅヘッダおよびＭＡＣ−ｅｓヘッダと、対応するＭＡＣ−ｅｓ  ＰＤＵおよびＭＡＣ−ｅ  ＰＤＵも構築する。ＰＤＵプロセッサ２１４はまた、ＲＬＣ  ＰＤＵ特有のタイマおよび状態変数もセットアップする。
【００２５】
ＰＤＵプロセッサ２１４は、終了確認メッセージ（またはプリミティブ）を物理層２０８に送ることができる（ステップ４２４）。あるいは、これは、ＭＡＣ−ｅ  ＰＤＵの受領によって物理層２０８に暗黙的に知られてもよい。次いでＰＤＵプロセッサ２１４は、データ送信指示メッセージ（またはプリミティブ）をＲＬＣ層２０４に送る（ステップ４２６）。ＲＬＣ層２０４は、この送信指示メッセージを受け取ると、状態変数やタイマなどがデータ転送中にブロックされていた場合にこれらを処理することができる（ステップ４２８）。次いでＲＬＣ層２０４は、バッファ占有率を相応に更新する（ステップ４３０）。
【００２６】
ステップ４１８のＵＭＡＣステータスインジケータとステップ４２４のＭＡＣ−ｅ  ＰＤＵ生成との間の遅延は、ＲＬＣ層およびＰＤＵプロセッサの処理遅延である。ＲＬＣ層およびＰＤＵプロセッサの処理遅延と、ＭＡＣ処理遅延との合計は、妥当な遅延限度（例えば２．３７ミリ秒）に制限されるべきである。並行処理を回避するには、最大遅延限度を２ミリ秒未満の期間に短縮することができる。そうでない場合は、並行処理を可能にすることができる。
【００２７】
図５は、本発明の第２の実施形態による、Ｅ−ＤＣＨの効率的な操作のためにＷＴＲＵ１０２中で実施されるプロセス５００のシグナリング図である。第２の実施形態によれば、本発明は、ＰＤＵプロセッサなしで実施される。ＭＡＣ層２０６は、少なくとも、Ｈ−ＡＲＱプロセスが送信に利用可能であるＴＴＩごとに、かつ／または、新しいスケジューリンググラント情報が受信されるＴＴＩごとに稼動することが好ましい。あるいは、ＭＡＣ層２０６は、Ｅ−ＤＣＨ  ＴＴＩごとに稼動してもよい。物理層２０８から送られた割込みメッセージ（またはプリミティブ）によって、ＭＡＣ層処理がトリガされる（ステップ５０２）。物理層２０８からの割込みは、第１の実施形態に関して前に挙げたイベントのうちの１つまたは複数に基づくことができる。
【００２８】
ＭＡＣ層２０６は、物理層２０８によって呼び出されると、いくつかのタスクを実施する。ＭＡＣ層２０６は、絶対グラントおよび相対グラントを含む更新済みスケジューリンググラント情報が提供された場合はそれに基づいて、グラント処理を実施して、現在スケジューリンググラント、およびＥ−ＤＣＨ送信のための対応する残り送信電力を導出する（ステップ５０４）。ＭＡＣ層２０６はまた、ＲＬＣ層２０４に関数呼出しを送ることによってバッファ占有率情報を得る（ステップ５０６）。ＲＬＣ層２０４は、バッファ占有率を計算してＭＡＣ層２０６に返す（ステップ５０８）。ＭＡＣ層２０６は、ＴＦＣ回復および除去プロセスを実施して、Ｅ−ＤＣＨのための残り送信電力で許容されるＥ−ＤＣＨ  ＴＦＣを決定する（ステップ５１０）。ＭＡＣ層２０６はまた、ノードＢ１０４にリソースを要求するためにレート要求を生成することもできる（ステップ５１２）。ＭＡＣ層２０６は、複数のＭＡＣ−ｄ  ＰＤＵをＭＡＣ−ｅｓ  ＰＤＵに多重化するため、および１つまたは複数のＭＡＣ−ｅｓ  ＰＤＵを単一のＭＡＣ−ｅ  ＰＤＵに多重化するために、多重化プロシージャを実施する（ステップ５１４）。ステップ５０４〜５１４のＭＡＣ層タスクに関する以上の記述は、異なる順序で、または同時に実施することもでき、またすべてのタスクが必要とは限らない。
【００２９】
次いでＭＡＣ層２０６は、Ｈ−ＡＲＱプロファイル、ＴＢサイズ、電力オフセットなどを含むメッセージを、物理層２０８に送る（ステップ５１６）。ＭＡＣ−ｅ処理が完了する前にこのメッセージを物理層２０８に送ることによって、レイテンシ制約を大きく緩和することができる。ステップ５１６までの処理遅延は、「ＭＡＣ処理遅延第１部分」として示された、ＭＡＣ処理遅延全体の一部であり、ある遅延限度（例えば１．７ミリ秒）未満であるべきである。
【００３０】
ＭＡＣ層２０６は、ＵＭＡＣステータスインジケータを送ることによって、ＲＬＣ層２０４にデータを要求する（ステップ５１８）。ＵＭＡＣステータスインジケータにより、必要とされるＲＬＣ  ＰＤＵのサイズがＲＬＣ層２０４に通知される。ＲＬＣ層２０４は、ＭＡＣ層２０６からＵＭＡＣステータスインジケータを受け取ると、状態変数やタイマなどを処理する（ステップ５２０）。ＲＬＣ層２０４は、ＭＡＣ層２０６から要求されたＰＤＵの数およびサイズに従って、ＲＬＣヘッダを含むＲＬＣ  ＰＤＵを構築する（ステップ５２２）。次いでＲＬＣ層２０４は、バッファ占有率を相応に更新する（ステップ５２４）。
【００３１】
次いでＲＬＣ層２０４は、ＲＬＣ  ＰＤＵをＭＡＣ層２０６に送る（ステップ５２６）。ステップ５１６のメッセージとステップ５２６のメッセージとの間の遅延は、ＲＬＣ処理遅延である。ＭＡＣ層２０６は、ＲＬＣ  ＰＤＵを受け取ると、ＭＡＣ−ｅｓヘッダおよびＭＡＣ−ｅヘッダを構築し、対応するＭＡＣ−ｅｓ  ＰＤＵおよびＭＡＣ−ｅ  ＰＤＵを構築する（ステップ５２８）。次いでＭＡＣ層２０６は、ＭＡＣ−ｅ  ＰＤＵを物理層２０８に送る（ステップ５３０）。ステップ５２６とステップ５３０との間の遅延は、「ＭＡＣ処理遅延第２部分」として示された、ＭＡＣ処理遅延全体の一部である。
【００３２】
ＲＬＣ処理遅延とＭＡＣ処理遅延との合計は、妥当な遅延限度（例えば２．３７ミリ秒）に制限されるべきである。並行処理を回避するには、最大遅延限度を２ミリ秒未満の期間に短縮することができる。そうでない場合は、並行処理を可能にすることができる。
【００３３】
実施形態
１．ＲＬＣ層とＭＡＣ層と物理層とＰＤＵプロセッサとを備えるＷＴＲＵにおける、Ｅ−ＤＣＨの効率的な操作の方法。
【００３４】
２．物理層が割込みメッセージをＭＡＣ層に送るステップを含む、実施形態１の方法。
【００３５】
３．ＭＡＣ層が割込みメッセージに基づいてＭＡＣ層処理を実施するステップをさらに含む、実施形態２の方法。
【００３６】
４．物理層がＥ−ＤＣＨ送信に必要な制御パラメータを計算できるようにするために、ＭＡＣ層が第１のメッセージを物理層に送るステップを含む、実施形態１〜３のいずれかにおける方法。
【００３７】
５．ＭＡＣ層が、Ｅ−ＤＣＨ送信に向けてＭＡＣ−ｅ  ＰＤＵを生成するために第２のメッセージをＰＤＵプロセッサに送るステップを含む、実施形態１〜４のいずれかにおける方法。
【００３８】
６．ＰＤＵプロセッサが第２のメッセージに基づいてＭＡＣ−ｅ  ＰＤＵを生成し、Ｅ−ＤＣＨを介した送信に向けてＭＡＣ−ｅ  ＰＤＵを物理層に送るステップをさらに含む、実施形態５の方法。
【００３９】
７．制御パラメータを計算するために物理層に送られる第１のメッセージは、Ｅ−ＤＣＨについての、Ｈ−ＡＲＱプロファイル、ＴＢサイズ、および送信電力オフセットのうちの少なくとも１つを含む、実施形態４〜６のいずれかにおける方法。
【００４０】
８．物理層は、Ｈ−ＡＲＱプロセスが送信に利用可能であるＴＴＩごとに、割込みメッセージをＭＡＣ層に送る、実施形態２〜７のいずれかにおける方法。
【００４１】
９．物理層は、新しいスケジューリンググラント情報が受信されるＴＴＩごとに、割込みメッセージをＭＡＣ層に送る、実施形態２〜７のいずれかにおける方法。
【００４２】
１０．物理層は、Ｅ−ＤＣＨ  ＴＴＩごとに、割込みメッセージをＭＡＣ層に送る、実施形態２〜７のいずれかにおける方法。
【００４３】
１１．ＰＤＵプロセッサは、ＭＡＣ−ｅ  ＰＤＵが生成されたときに終了確認メッセージを物理層に送る、実施形態２〜１０のいずれかにおける方法。
【００４４】
１２．割込みメッセージが送られる時からＭＡＣ−ｅ  ＰＤＵが生成される時までの総処理遅延は２ミリ秒に制限される、実施形態２〜１１のいずれかにおける方法。
【００４５】
１３．総処理遅延が２ミリ秒以内でない場合は並行操作が可能にされる、実施形態１２の方法。
【００４６】
１４．ＲＬＣ層とＭＡＣ層と物理層とを備えるＷＴＲＵにおける、Ｅ−ＤＣＨの効率的な操作の方法。
【００４７】
１５．物理層が割込みメッセージをＭＡＣ層に送るステップを含む、実施形態１４の方法。
【００４８】
１６．ＭＡＣ層が割込みメッセージに基づいてＭＡＣ層処理を実施するステップをさらに含む、実施形態１５の方法。
【００４９】
１７．物理層がＥ−ＤＣＨ送信に必要な制御パラメータを計算できるようにするために、ＭＡＣ層が第１のメッセージを物理層に送るステップを含む、実施形態１４〜１６のいずれかにおける方法。
【００５０】
１８．ＭＡＣ層が第２のメッセージをＲＬＣ層に送るステップを含む、実施形態１４〜１７のいずれかにおける方法。
【００５１】
１９．ＲＬＣ層が第２のメッセージに基づいてＲＬＣ  ＰＤＵを生成し、ＲＬＣ  ＰＤＵをＭＡＣ層に送るステップをさらに含む、実施形態１８の方法。
【００５２】
２０．ＭＡＣ層がＭＡＣ−ｅ  ＰＤＵを生成し、Ｅ−ＤＣＨを介した送信に向けてＭＡＣ−ｅ  ＰＤＵを物理層に送るステップを含む、実施形態１４〜１９のいずれかにおける方法。
【００５３】
２１．制御パラメータを計算するために物理層に送られる第１のメッセージは、Ｅ−ＤＣＨについての、Ｈ−ＡＲＱプロファイル、ＴＢサイズ、および送信電力オフセットのうちの少なくとも１つを含む、実施形態１７〜２０のいずれかにおける方法。
【００５４】
２２．物理層は、Ｈ−ＡＲＱプロセスが送信に利用可能であるＴＴＩごとに、割込みメッセージをＭＡＣ層に送る、実施形態１５〜２１のいずれかにおける方法。
【００５５】
２３．物理層は、新しいスケジューリンググラント情報が受信されるＴＴＩごとに、割込みメッセージをＭＡＣ層に送る、実施形態１５〜２１のいずれかにおける方法。
【００５６】
２４．物理層は、Ｅ−ＤＣＨ  ＴＴＩごとに、割込みメッセージをＭＡＣ層に送る、実施形態１５〜２１のいずれかにおける方法。
【００５７】
２５．割込みメッセージが送られる時からＭＡＣ−ｅ  ＰＤＵが生成される時までの総処理遅延は２ミリ秒に制限される、実施形態１５〜２４のいずれかにおける方法。
【００５８】
２６．総処理遅延が２ミリ秒以内でない場合は並行操作が可能にされる、実施形態２５の方法。
【００５９】
２７．Ｅ−ＤＣＨの効率的な操作のためのＷＴＲＵ。
【００６０】
２８．データを順次送達するためのＲＬＣ層を備える、実施形態２７のＷＴＲＵ。
【００６１】
２９．割込みメッセージをＭＡＣ層に送るように構成された物理層を備える、実施形態２７〜２８のいずれかにおけるＷＴＲＵ。
【００６２】
３０．ＭＡＣ層は、割込みメッセージに基づいてＭＡＣ層処理を実施するように構成された、実施形態２９のＷＴＲＵ。
【００６３】
３１．ＭＡＣ層は、ＭＡＣ−ｅ  ＰＤＵが生成される前に物理層がＥ−ＤＣＨ送信に必要な制御パラメータを計算できるようにするために第１のメッセージを物理層に送るように構成された、実施形態２９〜３０のいずれかにおけるＷＴＲＵ。
【００６４】
３３．ＭＡＣ層は、ＭＡＣ−ｅ  ＰＤＵを生成するために第２のメッセージをＰＤＵプロセッサに送るように構成された、実施形態２９〜３１のいずれかにおけるＷＴＲＵ。
【００６５】
３４．ＭＡＣ層から受け取った第２のメッセージに基づいてＭＡＣ−ｅ  ＰＤＵを生成し、Ｅ−ＤＣＨを介した送信に向けてＭＡＣ−ｅ  ＰＤＵを物理層に送るように構成されたＰＤＵプロセッサを備える、実施形態３３のＷＴＲＵ。
【００６６】
３５．制御パラメータを計算するために物理層に送られる第１のメッセージは、Ｅ−ＤＣＨについての、Ｈ−ＡＲＱプロファイル、ＴＢサイズ、および送信電力オフセットのうちの少なくとも１つを含む、実施形態３１〜３４のいずれかにおけるＷＴＲＵ。
【００６７】
３６．物理層は、Ｈ−ＡＲＱプロセスが送信に利用可能であるＴＴＩごとに、割込みメッセージをＭＡＣ層に送るように構成された、実施形態２９〜３５のいずれかにおけるＷＴＲＵ。
【００６８】
３７．物理層は、新しいスケジューリンググラント情報が受信されるＴＴＩごとに、割込みメッセージをＭＡＣ層に送るように構成された、実施形態２９〜３５のいずれかにおけるＷＴＲＵ。
【００６９】
３８．物理層は、Ｅ−ＤＣＨ  ＴＴＩごとに、割込みメッセージをＭＡＣ層に送るように構成された、実施形態２９〜３５のいずれかにおけるＷＴＲＵ。
【００７０】
３９．ＰＤＵプロセッサは、ＭＡＣ−ｅ  ＰＤＵが生成されたときに終了確認メッセージを物理層に送るように構成された、実施形態３３〜３８のいずれかにおけるＷＴＲＵ。
【００７１】
４０．Ｅ−ＤＣＨの効率的な操作のためのＷＴＲＵであって、割込みメッセージをＭＡＣ層に送るように構成された物理層を備えるＷＴＲＵ。
【００７２】
４１．ＭＡＣ層は、割込みメッセージに基づいてＭＡＣ層処理を実施するように構成された、実施形態４０のＷＴＲＵ。
【００７３】
４２．ＭＡＣ層は、ＭＡＣ−ｅプロトコルデータユニット（ＰＤＵ）が生成される前に物理層がＥ−ＤＣＨ送信に必要な制御パラメータを計算できるようにするために第１のメッセージを物理層に送るように構成された、実施形態４０〜４１のいずれかにおけるＷＴＲＵ。
【００７４】
４３．ＭＡＣ層は、ＲＬＣ  ＰＤＵを生成するために第２のメッセージをＲＬＣ層に送るように構成された、実施形態４０〜４２のいずれかにおけるＷＴＲＵ。
【００７５】
４４．ＭＡＣ層は、ＲＬＣ層によって生成されたＲＬＣ  ＰＤＵに基づいてＭＡＣ−ｅ  ＰＤＵを生成するように構成された、実施形態４３のＷＴＲＵ。
【００７６】
４５．ＭＡＣ層は、Ｅ−ＤＣＨを介した送信に向けてＭＡＣ−ｅ  ＰＤＵを物理層に送るように構成された、実施形態４０〜４４のいずれかにおけるＷＴＲＵ。
【００７７】
４６．ＲＬＣ層は、ＭＡＣ層から受け取った第２のメッセージに基づいてＲＬＣ  ＰＤＵを生成し、ＲＬＣ  ＰＤＵをＭＡＣ層に送るように構成された、実施形態４３〜４５のいずれかにおけるＷＴＲＵ。
【００７８】
４７．制御パラメータを計算するために物理層に送られる第１のメッセージは、Ｅ−ＤＣＨについての、Ｈ−ＡＲＱプロファイル、ＴＢサイズ、および送信電力オフセットのうちの少なくとも１つを含む、実施形態４２〜４６のいずれかにおけるＷＴＲＵ。
【００７９】
４８．物理層は、Ｈ−ＡＲＱプロセスが送信に利用可能であるＴＴＩごとに、割込みメッセージをＭＡＣ層に送るように構成された、実施形態４０〜４７のいずれかにおけるＷＴＲＵ。
【００８０】
４９．物理層は、新しいスケジューリンググラント情報が受信されるＴＴＩごとに、割込みメッセージをＭＡＣ層に送るように構成された、実施形態４０〜４７のいずれかにおけるＷＴＲＵ。
【００８１】
５０．物理層は、Ｅ−ＤＣＨ  ＴＴＩごとに、割込みメッセージをＭＡＣ層に送るように構成された、実施形態４０〜４７のいずれかにおけるＷＴＲＵ。
【００８２】
本発明の特徴および要素を、好ましい実施形態で特定の組合せで述べたが、各特徴または要素は、好ましい実施形態の他の特徴および要素なしで単独で使用することもでき、あるいは本発明の他の特徴および要素と共に、またはそれらなしで、様々な組合せで使用することもできる。
【図面の簡単な説明】
【００８３】
【図１】本発明により構成された従来のワイヤレス通信システムのブロック図である。
【図２】本発明により利用されるＷＴＲＵの従来のプロトコルアーキテクチャのブロック図である。
【図３】本発明による、ＰＤＵプロセッサを備えるＷＴＲＵのブロック図である。
【図４】本発明の第１の実施形態による、Ｅ−ＤＣＨの効率的な操作のためのプロセスのシグナリング図である。
【図５】本発明の第２の実施形態による、Ｅ−ＤＣＨの効率的な操作のためのプロセスのシグナリング図である。
【図１】
2008547322.tif 000003
【図２】
2008547322.tif 000004
【図３】
2008547322.tif 000005
【図４】
2008547322.tif 000006
【図５】
2008547322.tif 000007
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
エンハンスト専用チャネル（Ｅ−ＤＣＨ）データを送信する方法であって、
物理層が割込みメッセージを媒体アクセス制御（ＭＡＣ）層に送る工程と、
前記媒体アクセス制御（ＭＡＣ）層が前記割込みメッセージに基づいて媒体アクセス制御（ＭＡＣ）層処理を実施する工程と、
前記物理層がＭＡＣ−ｅプロトコルデータユニット（ＰＤＵ）が生成される前にエンハンスト専用チャネル（Ｅ−ＤＣＨ）送信に必要な制御パラメータを計算できるようにするために、前記媒体アクセス制御（ＭＡＣ）層が第１のメッセージを前記物理層に送る工程と、
前記媒体アクセス制御（ＭＡＣ）層が、ＭＡＣ−ｅプロトコルデータユニット（ＰＤＵ）を生成するために第２のメッセージをＰＤＵプロセッサに送る工程と、
前記ＰＤＵプロセッサが前記第２のメッセージに基づいてＭＡＣ−ｅプロトコルデータユニット（ＰＤＵ）を生成し、前記エンハンスト専用チャネル（Ｅ−ＤＣＨ）を介した送信に向けて前記ＭＡＣ−ｅプロトコルデータユニット（ＰＤＵ）を前記物理層に送る工程と
を具えたことを特徴とする方法。
【請求項２】
前記制御パラメータを計算するために前記物理層に送られる前記第１のメッセージは、前記エンハンスト専用チャネル（Ｅ−ＤＣＨ）についての、ハイブリッド自動再送要求（Ｈ−ＡＲＱ）プロファイル、トランスポートブロック（ＴＢ）サイズ、および送信電力オフセットのうちの少なくとも１つを含むことを特徴とする請求項１記載の方法。
【請求項３】
前記物理層は、ハイブリッド自動再送要求（Ｈ−ＡＲＱ）プロセスが送信に利用可能である送信時間間隔（ＴＴＩ）ごとに、前記割込みメッセージを前記媒体アクセス制御（ＭＡＣ）層に送ることを特徴とする請求項１記載の方法。
【請求項４】
前記物理層は、新しいスケジューリンググラント情報が受信される送信時間間隔（ＴＴＩ）ごとに、前記割込みメッセージを前記媒体アクセス制御（ＭＡＣ）層に送ることを特徴とする請求項１記載の方法。
【請求項５】
前記物理層は、Ｅ−ＤＣＨ送信時間間隔（ＴＴＩ）ごとに、前記割込みメッセージを前記媒体アクセス制御（ＭＡＣ）層に送ることを特徴とする請求項１記載の方法。
【請求項６】
前記ＰＤＵプロセッサは、前記ＭＡＣ−ｅプロトコルデータユニット（ＰＤＵ）が生成されたときに終了確認メッセージを前記物理層に送ることを特徴とする請求項１記載の方法。
【請求項７】
前記割込みメッセージが送られる時から前記ＭＡＣ−ｅプロトコルデータユニット（ＰＤＵ）が生成される時までの総処理遅延は２ミリ秒に制限されることを特徴とする請求項１記載の方法。
【請求項８】
前記総処理遅延が２ミリ秒以内でない場合は並行操作が可能にされることを特徴とする請求項７記載の方法。
【請求項９】
エンハンスト専用チャネル（Ｅ−ＤＣＨ）データを送信する方法であって、
物理層が割込みメッセージを媒体アクセス制御（ＭＡＣ）層に送る工程と、
前記媒体アクセス制御（ＭＡＣ）層が前記割込みメッセージに基づいて媒体アクセス制御（ＭＡＣ）層処理を実施する工程と、
ＭＡＣ−ｅプロトコルデータユニット（ＰＤＵ）が生成される前に、前記物理層がエンハンスト専用チャネル（Ｅ−ＤＣＨ）送信に必要な制御パラメータを計算できるようにするために、前記媒体アクセス制御（ＭＡＣ）層が第１のメッセージを前記物理層に送る工程と、
前記媒体アクセス制御（ＭＡＣ）層が第２のメッセージを無線リンク制御（ＲＬＣ）層に送る工程と、
前記ＲＬＣ層が前記第２のメッセージに基づいてＲＬＣ  ＰＤＵを生成し、前記ＲＬＣ  ＰＤＵを前記媒体アクセス制御（ＭＡＣ）層に送る工程と、
前記媒体アクセス制御（ＭＡＣ）層がＭＡＣ−ｅプロトコルデータユニット（ＰＤＵ）を生成し、前記エンハンスト専用チャネル（Ｅ−ＤＣＨ）を介した送信に向けて前記ＭＡＣ−ｅプロトコルデータユニット（ＰＤＵ）を前記物理層に送る工程と
を具えたことを特徴とする方法。
【請求項１０】
前記制御パラメータを計算するために前記物理層に送られる前記第１のメッセージは、前記エンハンスト専用チャネル（Ｅ−ＤＣＨ）についての、ハイブリッド自動再送要求（Ｈ−ＡＲＱ）プロファイル、トランスポートブロック（ＴＢ）サイズ、および送信電力オフセットを含むことを特徴とする請求項９記載の方法。
【請求項１１】
前記物理層は、ハイブリッド自動再送要求（Ｈ−ＡＲＱ）プロセスが送信に利用可能である送信時間間隔（ＴＴＩ）ごとに、前記割込みメッセージを前記媒体アクセス制御（ＭＡＣ）層に送ることを特徴とする請求項９記載の方法。
【請求項１２】
前記物理層は、新しいスケジューリンググラント情報が受信される送信時間間隔（ＴＴＩ）ごとに、前記割込みメッセージを前記媒体アクセス制御（ＭＡＣ）層に送ることを特徴とする請求項９記載の方法。
【請求項１３】
前記物理層は、エンハンスト専用チャネル（Ｅ−ＤＣＨ）送信時間間隔（ＴＴＩ）ごとに、前記割込みメッセージを前記媒体アクセス制御（ＭＡＣ）層に送ることを特徴とする請求項９記載の方法。
【請求項１４】
前記割込みメッセージが送られる時から前記ＭＡＣ−ｅプロトコルデータユニット（ＰＤＵ）が生成される時までの総処理遅延は２ミリ秒に制限されることを特徴とする請求項９記載の方法。
【請求項１５】
前記総処理遅延が２ミリ秒以内でない場合は並行操作が可能にされることを特徴とする請求項１４記載の方法。
【請求項１６】
エンハンスト専用チャネル（Ｅ−ＤＣＨ）データを送信するためのワイヤレス送受信ユニット（ＷＴＲＵ）であって、
データを順次送達するための無線リンク制御（ＲＬＣ）層と、
割込みメッセージを媒体アクセス制御（ＭＡＣ）層に送るように構成された物理層と、
前記割込みメッセージに基づいて媒体アクセス制御（ＭＡＣ）層処理を実施し、ＭＡＣ−ｅプロトコルデータユニット（ＰＤＵ）が生成される前に前記物理層がエンハンスト専用チャネル（Ｅ−ＤＣＨ）送信に必要な制御パラメータを計算できるようにするために第１のメッセージを前記物理層に送り、ＭＡＣ−ｅプロトコルデータユニット（ＰＤＵ）を生成するために第２のメッセージをプロトコルデータユニット（ＰＤＵ）プロセッサに送るように構成された前記媒体アクセス制御（ＭＡＣ）層と、
前記媒体アクセス制御（ＭＡＣ）層から受け取った前記第２のメッセージに基づいて前記ＭＡＣ−ｅプロトコルデータユニット（ＰＤＵ）を生成し、前記エンハンスト専用チャネル（Ｅ−ＤＣＨ）を介した送信に向けて前記ＭＡＣ−ｅプロトコルデータユニット（ＰＤＵ）を前記物理層に送るように構成された前記ＰＤＵプロセッサと
を具えたことを特徴とするワイヤレス送受信ユニット（ＷＴＲＵ）。
【請求項１７】
前記制御パラメータを計算するために前記物理層に送られる前記第１のメッセージは、前記エンハンスト専用チャネル（Ｅ−ＤＣＨ）についての、ハイブリッド自動再送要求（Ｈ−ＡＲＱ）プロファイル、トランスポートブロック（ＴＢ）サイズ、および送信電力オフセットのうちの少なくとも１つを含むことを特徴とする請求項１６記載のワイヤレス送受信ユニット（ＷＴＲＵ）。
【請求項１８】
前記物理層は、ハイブリッド自動再送要求（Ｈ−ＡＲＱ）プロセスが送信に利用可能である送信時間間隔（ＴＴＩ）ごとに、前記割込みメッセージを前記媒体アクセス制御（ＭＡＣ）層に送るように構成されたことを特徴とする請求項１６記載のワイヤレス送受信ユニット（ＷＴＲＵ）。
【請求項１９】
前記物理層は、新しいスケジューリンググラント情報が受信される送信時間間隔（ＴＴＩ）ごとに、前記割込みメッセージを前記媒体アクセス制御（ＭＡＣ）層に送るように構成されたことを特徴とする請求項１６記載のワイヤレス送受信ユニット（ＷＴＲＵ）。
【請求項２０】
前記物理層は、エンハンスト専用チャネル（Ｅ−ＤＣＨ）送信時間間隔（ＴＴＩ）ごとに、前記割込みメッセージを前記媒体アクセス制御（ＭＡＣ）層に送るように構成されたことを特徴とする請求項１６記載のワイヤレス送受信ユニット（ＷＴＲＵ）。
【請求項２１】
前記ＰＤＵプロセッサは、前記ＭＡＣ−ｅプロトコルデータユニット（ＰＤＵ）が生成されたときに終了確認メッセージを前記物理層に送るように構成されたことを特徴とする請求項１６記載のワイヤレス送受信ユニット（ＷＴＲＵ）。
【請求項２２】
エンハンスト専用チャネル（Ｅ−ＤＣＨ）データを送信するためのワイヤレス送受信ユニット（ＷＴＲＵ）であって、
割込みメッセージを媒体アクセス制御（ＭＡＣ）層に送るように構成された物理層と、
前記割込みメッセージに基づいてＭＡＣ層処理を実施し、ＭＡＣ−ｅプロトコルデータユニット（ＰＤＵ）が生成される前に前記物理層がエンハンスト専用チャネル（Ｅ−ＤＣＨ）送信に必要な制御パラメータを計算できるようにするために第１のメッセージを前記物理層に送り、ＲＬＣ  ＰＤＵを生成するために第２のメッセージを無線リンク制御（ＲＬＣ）層に送り、前記無線リンク制御（ＲＬＣ）層によって生成された前記ＲＬＣ  ＰＤＵに基づいてＭＡＣ−ｅプロトコルデータユニット（ＰＤＵ）を生成し、前記エンハンスト専用チャネル（Ｅ−ＤＣＨ）を介した送信に向けて前記ＭＡＣ−ｅプロトコルデータユニット（ＰＤＵ）を前記物理層に送るように構成された前記媒体アクセス制御（ＭＡＣ）層と、
前記媒体アクセス制御（ＭＡＣ）層から受け取った前記第２のメッセージに基づいて前記ＲＬＣ  ＰＤＵを生成し、前記ＲＬＣ  ＰＤＵを前記媒体アクセス制御（ＭＡＣ）層に送るように構成された前記無線リンク制御（ＲＬＣ）層と
を具えたことを特徴とするワイヤレス送受信ユニット（ＷＴＲＵ）。
【請求項２３】
前記制御パラメータを計算するために前記物理層に送られる前記第１のメッセージは、前記エンハンスト専用チャネル（Ｅ−ＤＣＨ）についての、ハイブリッド自動再送要求（Ｈ−ＡＲＱ）プロファイル、トランスポートブロック（ＴＢ）サイズ、および送信電力オフセットのうちの少なくとも１つを含むことを特徴とする請求項２２記載のワイヤレス送受信ユニット（ＷＴＲＵ）。
【請求項２４】
前記物理層は、ハイブリッド自動再送要求（Ｈ−ＡＲＱ）プロセスが送信に利用可能である送信時間間隔（ＴＴＩ）ごとに、前記割込みメッセージを前記媒体アクセス制御（ＭＡＣ）層に送るように構成されたことを特徴とする請求項２２記載のワイヤレス送受信ユニット（ＷＴＲＵ）。
【請求項２５】
前記物理層は、新しいスケジューリンググラント情報が受信される送信時間間隔（ＴＴＩ）ごとに、前記割込みメッセージを前記媒体アクセス制御（ＭＡＣ）層に送るように構成されたことを特徴とする請求項２２記載のワイヤレス送受信ユニット（ＷＴＲＵ）。
【請求項２６】
前記物理層は、エンハンスト専用チャネル（Ｅ−ＤＣＨ）送信時間間隔（ＴＴＩ）ごとに、前記割込みメッセージを前記媒体アクセス制御（ＭＡＣ）層に送るように構成されたことを特徴とする請求項２２記載のワイヤレス送受信ユニット（ＷＴＲＵ）。
【国際調査報告】
2008547322.tif 000008